(57)【特許請求の範囲】
【請求項１】
無電極放電灯のバルブと点灯用コイルとを保持する金属シリンダー部からなり、前記金属シリンダー部を、夫々にねじ部が形成された第１及び第２のシリンダーで構成し、第１及び第２のシリンダーは、前記ねじ部を互いに螺合させることにより、軸方向において移動自在に結合され、前記点灯用コイルを、第１及び第２のシリンダーにそれぞれ固定された２つのコイルで構成したことを特徴とするコイルインダクタンス微調整用の可動シリンダー。
【請求項２】
前記第１及び第２のシリンダーを回動させることによって、前記２つのコイルの間隔を変化させることを特徴とする請求項１記載のコイルインダクタンス微調整用の可動シリンダー。
【請求項３】
無電極放電灯のバルブと点灯用コイルとを保持する金属シリンダー部からなり、前記金属シリンダー部を、夫々にねじ部が形成された第１及び第２のシリンダーで構成し、前記第１及び第２のシリンダーは、前記ねじ部を互いに螺合させることにより、軸方向において移動自在に結合され、前記第１及び第２のシリンダーに、両シリンダーが回動方向に移動することによって重なる部分の面積が変化する開口部を夫々設けたことを特徴とするコイルインダクタンス微調整用の可動シリンダー。
【請求項４】
無電極放電灯のバルブと点灯用コイルとを保持する金属シリンダー部からなり、前記金属シリンダー部を、夫々にねじ部が形成された第１及び第２のシリンダーで構成し、前記第１及び第２のシリンダーは、前記ねじ部を互いに螺合させることにより、軸方向において移動自在に結合され、前記第１及び第２のシリンダーの内の何れか一方に、両シリンダーが軸方向に移動することによって開口面積の変化するスリットを設けたことを特徴とするコイルインダクタンス微調整用の可動シリンダー。
【発明の詳細な説明】
【０００１】
【発明の属する技術分野】
本発明は、無電極放電灯の点灯用コイルのインダクタンスを微調整するコイルインダクタンス微調整用の可動シリンダーに関するものである。
【０００２】
【従来の技術】
従来、高周波放電を利用した無電極放電灯には、無電極放電灯を高周波点灯させるための点灯回路が設けらていた。この点灯回路はインピーダンス整合回路を備えており、通常、インピーダンス整合回路は、ある範囲のインピーダンスのばらつきを有していた。したがって、無電極放電灯を正常に点灯させるためには、このインピーダンスのばらつきを微調整する必要があり、可変コンデンサーを用いてインピーダンスを微調整していた。
【０００３】
【発明が解決しようとする課題】
上記構成の無電極放電灯では、インピーダンスのばらつきを微調整するために可変コンデンサを用いていたが、可変コンデンサは重量、大きさ共に比較的大きく、単価も高いという問題点があった。
本発明は上記問題点に鑑みて為されたものであり、その目的とするところは、可変コンデンサを用いることなく、簡単な操作で点灯用コイルのインダクタンスを微調整することができるコイルインダクタンス微調整用の可動シリンダーを提供することにある。
【０００４】
【課題を解決するための手段】
請求項１の発明は、無電極放電灯のバルブと点灯用コイルとを保持する金属シリンダー部からなり、金属シリンダー部を、夫々にねじ部が形成された第１及び第２のシリンダーで構成し、第１及び第２のシリンダーは、ねじ部を互いに螺合させることにより、軸方向において移動自在に結合され、点灯用コイルを、第１及び第２のシリンダーにそれぞれ固定された２つのコイルで構成したことを特徴とし、第１及び第２のシリンダーのねじ部を螺入させることによって２つのコイルの間隔を変化させ、点灯用コイルのインダクタンスを容易に調整することができる。
【０００６】
請求項２の発明では、請求項１の発明において、第１及び第２のシリンダーを回動させることにより、両コイルの間隔が変化して、点灯用コイルのインダクタンスが変化しているので、第１及び第２のシリンダーを螺入させることにより、コイルの間隔を容易に調整することができる。
【０００７】
請求項３の発明は、無電極放電灯のバルブと点灯用コイルとを保持する金属シリンダー部からなり、金属シリンダー部を、夫々にねじ部が形成された第１及び第２のシリンダーで構成し、第１及び第２のシリンダーは、ねじ部を互いに螺合させることにより、軸方向において移動自在に結合され、第１及び第２のシリンダーに、両シリンダーが回動方向に移動することによって重なる部分の面積が変化する開口部を夫々設けたことを特徴とし、第１及び第２のシリンダーを螺入させることにより、開口部の重なる面積を容易に調整することができる。
【０００８】
請求項４の発明は、無電極放電灯のバルブと点灯用コイルとを保持する金属シリンダー部からなり、金属シリンダー部を、夫々にねじ部が形成された第１及び第２のシリンダーで構成し、第１及び第２のシリンダーは、ねじ部を互いに螺合させることにより、軸方向において移動自在に結合され、第１及び第２のシリンダーの内の何れか一方に、両シリンダーが軸方向に移動することによって開口面積の変化するスリットを設けたことを特徴とし、第１及び第２のシリンダーを螺入させることにより、スリットの開口面積を容易に調整することができる。
【０００９】
【発明の実施の形態】
本発明の実施の形態を図面を参照して説明する。
（実施形態１）
本実施形態のコイルインダクタンス微調整用の可動シリンダーを、図１の断面図を参照して説明する。無電極放電灯のバルブ１は、放電ガスが封入されるとともに、内周面に蛍光体層が形成されている。バルブ１の底部が内側に凹没して形成されたコイル挿入凹所１ａには、金属シリンダー部３が配設されており、金属シリンダー部３は、金属シリンダー部３内に配設された点灯用コイル２が発生する高周波電界からバルブ１の蛍光体層を遮蔽している。
【００１０】
金属シリンダー部３は上部シリンダー４と、上部シリンダー４よりも径の小さい下部シリンダー５から構成されており、上部シリンダー４及び下部シリンダー５はアルミニウムから形成されている。上部シリンダー４はバルブ１にシリコンゴム６を用いて固定されており、金属シリンダー部３はバルブ１を保持している。上部シリンダー４の内周側面と下部シリンダー５の外周側面には、それぞれ、ねじ部４ａ，５ａが形成されており、ねじ部４ａ，５ａを互いに螺合させることによって、上部シリンダー４と下部シリンダー５とは軸方向に可動自在に結合されている。
【００１１】
点灯用コイル２は、電線が密に巻回された２つの上部コイル２ａ、下部コイル２ｂから構成されている。上部コイル２ａは上部シリンダー４に、下部コイル２ｂは下部シリンダー５にシリコンゴム６を用いて夫々固定されており、金属シリンダー部３は点灯用コイル２を保持している。
ここで、バルブ１の全体を回動させると、下部シリンダー５に対して上部シリンダー４が回動し、ねじ部４ａ，５ａの回動によって、上部コイル２ａと下部コイル２ｂとの間隔が変化する。したがって、点灯用コイル２のインダクタンスが変化するので、バルブ１を回動させることによって、点灯用コイル２のインダクタンスを簡単な操作で微調整することができる。また、従来の可変コンデンサーを用いてインダクタンス調整を行う場合に比べて、構造が簡単であり、小型化、軽量化を図ることができ、製造コストを低減することもできる。
【００１２】
尚、本実施形態では、上部シリンダー４及び下部シリンダー５をアルミニウムから形成しているが、上部シリンダー４及び下部シリンダー５の材質をアルミニウムに限定する趣旨のものではなく、アルミニウム以外の銅等の金属から形成してもよい。
（実施形態２）
本実施形態のコイルインダクタンス微調整用の可動シリンダーを、図２の断面図を参照して説明する。
【００１３】
金属シリンダー部３は、上部シリンダー４と、上部シリンダー４よりも径の大きな下部シリンダー５から構成されており、上部シリンダー４は、例えば、耐熱プラスチックから形成され、下部シリンダー５はアルミニウムから形成されている。下部シリンダー５はシリコンゴム６を用いてバルブ１に固定されており、金属シリンダー部３はバルブ１を保持している。上部シリンダー４の外周側面と下部シリンダー５の内周側面には、それぞれ、ねじ部４ａ，５ａが形成されており、ねじ部４ａ，５ａを互いに螺合させることによって、上部シリンダー４と下部シリンダー５とは軸方向に可動自在に結合されている。
【００１４】
点灯用コイル２は、電線が密に巻回された上部コイル２ａと下部コイル２ｂの２つの部分から構成されており、上部コイル２ａは上部シリンダー４に固定されている。また、下部シリンダー５には、下部コイル２ｂの上端面と当接する段付部５ｂが形成されており、ねじ部５ａの径は下部コイル２ｂの径よりも小さくなっているので、下部コイル２ｂの上端面と段付部５ｂとを当接させて、下部コイル２ｂは位置決めされている。そして、バルブ１を回転させることによって、上部シリンダー４に対して下部シリンダー５が回転し、ねじ部４ａ，５ａが螺入して、上部コイル２ａと下部コイル２ｂとの間隔が変化する。したがって、点灯用コイル２のインダクタンスを簡単な操作で調整することができる。
【００１５】
尚、本実施形態では、上部シリンダー４を耐熱プラスチックから形成し、下部シリンダー５をアルミニウムから形成しているが、両シリンダーの材質を限定する趣旨のものではなく、銅等の金属から形成してもよい。
また、点灯用コイル２及び金属シリンダー部３以外の構成は、実施形態１と同様であるので、その説明は省略する。
（実施形態３）
本実施形態のコイルインダクタンス微調整用の可動シリンダーを、図３（ａ）（ｂ）を参照して説明する。
【００１６】
アルミ又は銅等の金属から形成された金属シリンダー部３は、上部シリンダー４と、上部シリンダー４よりも径の小さい下部シリンダー５とから構成されている。上部シリンダー４及び下部シリンダー５には、夫々、ねじ部４ａ，５ａが形成されており、ねじ部４ａ，５ａを互いに螺合させることによって、上部シリンダー４及び下部シリンダー５は軸方向に可動自在に結合されている。
【００１７】
上部シリンダー４には点灯用コイル２が固定されている。また、上部シリンダー４には軸方向にスリット４ｂが形成されており、スリット４ｂの開口部は下部シリンダー５によって一部が塞がれている。
ここで、上部シリンダー４又は下部シリンダー５のどちらか一方を回転させると、ねじ部４ａ，５ａが互いに螺入して、上部シリンダー４又は下部シリンダー５が軸方向に移動する。したがって、下部シリンダー５によって一部が塞がれるスリット４ｂの開口面積が変化するので、点灯用コイル２のインピーダンスを簡単な操作で調整することができる。
【００１８】
尚、点灯用コイル２及び金属シリンダー部３以外の構成は、実施形態１又は２と同様であるので、その説明は省略する。
（実施形態４）
本実施形態のコイルインダクタンス微調整用の可動シリンダーを、図４（ａ）（ｂ）を参照して説明する。
【００１９】
アルミ又は銅等の金属から形成された金属シリンダー部３は、上部シリンダー４と、上部シリンダー４よりも径の小さい下部シリンダー５とから構成されている。上部シリンダー４及び下部シリンダー５には、夫々、ねじ部４ａ，５ａが形成されており、ねじ部４ａ，５ａを互いに螺合させることによって、上部シリンダー４及び下部シリンダー５は軸方向に可動自在に結合されている。
【００２０】
上部シリンダー４には点灯用コイル２が固定されている。また、上部シリンダー４及び下部シリンダー５には、軸方向にスリット４ｂ，５ｃを形成するとともに、スリット４ｂ，５ｃの端部に略円形の開口部４ｃ，５ｄを夫々形成している。
ここで、上部シリンダー４又は下部シリンダー５のどちらか一方を回転させると、ねじ部４ａ，５ａが互いに螺入して、開口部４ｃ，５ｄが重なる部分の面積が除々に変化する。したがって、開口部４ｃ，５ｄの開口面積が変化して、点灯用コイル２のインピーダンスを簡単な操作で調整することができる。
【００２１】
尚、本実施形態では、開口部４ｃ，５ｄの形状を略円形としているが、開口部４ｃ，５ｄの形状を略円形に限定する趣旨のものではなく、円形以外の四角形等の形状としても良いことは言うまでもない。
また、点灯用コイル２及び金属シリンダー部３以外の構成は、実施形態１，２又は３と同様であるので、その説明は省略する。
【００２２】
【発明の効果】
請求項１の発明は、上述のように、無電極放電灯のバルブと点灯用コイルとを保持する金属シリンダー部からなり、金属シリンダー部を、夫々にねじ部が形成された第１及び第２のシリンダーで構成し、第１及び第２のシリンダーは、ねじ部を互いに螺合させることにより、軸方向において移動自在に結合され、点灯用コイルを、第１及び第２のシリンダーにそれぞれ固定された２つのコイルで構成したことを特徴とし、第１及び第２のシリンダーのねじ部を螺入させることによって２つのコイルの間隔を変化させ、点灯用コイルのインダクタンスを簡単な操作で微調整できるという効果がある。
【００２４】
請求項２の発明は、第１及び第２のシリンダーを回動させることによって、２つのコイルの間隔を変化させることを特徴とし、コイルの間隔を容易に調整することができ、インダクタンス調整が容易に行えるという効果がある。また、ねじ込み動作によってコイルの間隔を調整しているので、コイルの間隔を少しずつ変化させることができ、インダクタンスの微調整が容易に行えるという効果もある。
【００２５】
請求項３の発明は、無電極放電灯のバルブと点灯用コイルとを保持する金属シリンダー部からなり、金属シリンダー部を、夫々にねじ部が形成された第１及び第２のシリンダーで構成し、第１及び第２のシリンダーは、ねじ部を互いに螺合させることにより、軸方向において移動自在に結合され、第１及び第２のシリンダーに、両シリンダーが回動方向に移動することによって重なる部分の面積が変化する開口部を夫々設けたことを特徴とし、第１及び第２のシリンダーを螺入させることにより、開口部の重なる面積を容易に調整でき、インダクタンス調整が容易に行えるという効果がある。また、ねじ込み動作によって開口部の重なる面積を調整しているので、面積を少しずつ変化させることができ、インダクタンスを容易に微調整することができるという効果もある。
【００２６】
請求項４の発明は、無電極放電灯のバルブと点灯用コイルとを保持する金属シリンダー部からなり、金属シリンダー部を、夫々にねじ部が形成された第１及び第２のシリンダーで構成し、第１及び第２のシリンダーは、ねじ部を互いに螺合させることにより、軸方向において移動自在に結合され、第１及び第２のシリンダーの内の何れか一方に、両シリンダーが軸方向に移動することによって開口面積の変化するスリットを設けたことを特徴とし、第１及び第２のシリンダーを螺入させることにより、スリットの開口面積を容易に調整でき、インダクタンス調整が容易に行えるという効果がある。また、ねじ込み動作によってスリットの開口面積を調整しているので、開口面積を少しずつ変化させることができ、インダクタンスの微調整が容易に行えるという効果もある。
【図面の簡単な説明】
【図１】実施形態１のコイルインダクタンス微調整用の可動シリンダーを示す断面図である。
【図２】実施形態２のコイルインダクタンス微調整用の可動シリンダーを示す断面図である。
【図３】実施形態３のコイルインダクタンス微調整用の可動シリンダーを示し、（ａ）は一部破断した断面図、（ｂ）は外観斜視図である。
【図４】実施形態４のコイルインダクタンス微調整用の可動シリンダーを示し、（ａ）は一部破断した断面図、（ｂ）は外観斜視図である。
【符号の説明】
１    バルブ
２    点灯用コイル
２ａ  上部コイル
２ｂ  下部コイル
３    金属シリンダー部
４    上部シリンダー
５    下部シリンダー
４ａ，５ａ  ねじ部
６    シリコンゴム
【図１】
0003893644.tif 000002
【図２】
0003893644.tif 000003
【図３】
0003893644.tif 000004
【図４】
0003893644.tif 000005